(57)【要約】【課題】本発明は、用紙送り穴を有する印刷用紙にインパクト式の印字ハンマを使用して印刷を行うインパクト式のラインプリンタの筐体において、１ページの長さが長い印刷用紙を使用する場合であっても、機械の操作性に影響を及ぼすことなしに十分な防音効果が得られ、且つ設置スペースを最小限に押さえることが可能なラインプリンタの筐体を提供することを課題とする。【解決手段】本発明は、用紙送り穴を有する印刷用紙に、インパクト式の印字ハンマを使用して印刷を行うラインプリンタで、印刷用紙の収納が可能な印刷機構部設置用の台座部分と、そのカバーから構成されるラインプリンタの筐体において、印刷前の印刷用紙と印刷後の印刷用紙を収納する前記台座部分の収納スペースを仕切る壁を可動式フェンスで構成したことを特徴とする。また、前記印刷用紙の収納スペースを奥行き方向に拡張可能としたことを特徴とする。【選択図】図２
2004330684.tif 000002
【特許請求の範囲】
【請求項１】
用紙送り穴を有する印刷用紙に、インパクト式の印字ハンマを使用して印刷を行うラインプリンタで、印刷用紙の収納が可能な印刷機構部設置用の台座部分と、そのカバーから構成されるラインプリンタの筐体において、印刷前の印刷用紙と印刷後の印刷用紙を収納する前記台座部分の収納スペースを仕切る壁を可動式フェンスで構成し、印刷用紙の１ページの長さに応じて印刷前後の印刷用紙を収納するスペースを任意に配分することが可能なラインプリンタの筐体。
【請求項２】
前記印刷用紙の収納スペースを奥行き方向に拡張可能としたことを特徴とする請求項１に記載のラインプリンタの筐体。
【発明の詳細な説明】
【０００１】
【発明の属する技術分野】
本発明は、用紙送り穴を有する印刷用紙にインパクト式の印字ハンマを使用して印刷するラインプリンタの筐体の、印刷前後の印刷用紙を収納する台座部分とそのカバーの構造、及び印刷用紙の収納スペースを拡張する方法に関する。
【０００２】
【従来の技術】
インパクト式の印字ハンマにより印刷を行うラインプリンタは、印刷を行う際に打撃音を発するため、該打撃音に起因する騒音の低減を目的として密閉型の筐体を用いることが多い。
【０００３】
従来の筐体の構成を、図３、図４で説明する。図３において、１は筐体を示す。台座部分２１の印刷前の印刷用紙収納スペース２２には印刷前の印刷用紙３が、印刷後の印刷用紙収納スペース２３には印刷後の印刷用紙４が、収納スペースを仕切る固定された壁面２４を隔て収納されている。印刷用紙の長さが長い場合は、図４に示すように、印刷用紙１３、１４が印刷用紙収納スペース２２、２３内に収納しきれないために、台座部分２１の前後のカバー５、６を開放し、又は取外した状態で使用している。
【０００４】
【発明が解決しようとする課題】
上記した従来の密閉型の筐体は、騒音を小さくする（音漏れを防止する）効果はあるものの、内部に印刷前後の用紙を収納するスペースを確保しなければならず、印刷用紙の１ページの長さが長い場合には、その長さに応じて筐体を大きくする必要があり、機械の操作や保守のために必要なスペースを含め、より広いスペースが必要になる一方で、この設置スペースが制限される場合が多く、より小型の筐体が望まれている。
【０００５】
このため、一般的に使用頻度が高い印刷用紙の大きさ（長さ）に合わせた筐体のサイズを採用し、防音効果が得られる最小限の大きさの機械として設計することが多かった。具体的には、印刷用紙の１ページの長さが１２インチの印刷用紙を使用した場合に、印刷前後の印刷用紙が完全に収納できる大きさの密閉型の筐体を用いることで、設置スペースと防音効果の両立を図っていた。
【０００６】
又、印刷用紙の１ページの長さが１２インチ以上の印刷用紙を使用する場合には、印刷前後の印刷用紙を収納する台座部分のカバーを開放し、或は取外し、防音効果を犠牲にして印刷を行わなければならず、騒音の音源となる機械の設置場所が制限されるなどの障害があったのみでなく、特に操作部側の台座部分のカバーが開放された場合には、操作が極端にし難くなるなどの障害もあった。
【０００７】
本発明は、印刷前後の印刷用紙を収納する台座部分とそのカバーの構造を工夫することにより、機械の操作性に影響を及ぼすことなしに、防音効果が高く、且つ設置スペースを最小限に押さえたラインプリンタの筐体を提供すると共に、１ページの長さが長い印刷用紙を使用する場合にも十分な防音効果が得られ、且つ設置スペースを最小限に押さえることが可能なラインプリンタの筐体を提供することを課題とする。
【問題を解決するための手段】
上記課題は、印刷前の印刷用紙と印刷後の印刷用紙を収納する前記台座部分の収納スペースを仕切る壁を可動式フェンスで構成したことを特徴とする。また、前記印刷用紙の収納スペースを奥行き方向に拡張可能としたことによって解決される。
【０００８】
【発明の実施の形態】
以下、図１、２、及び図５を用いて本発明の実施形態を説明する。
【０００９】
１は筐体を示す。印刷用紙収納スペース２２、２３を仕切る壁面は、任意の位置に移動可能な可動式フェンス８で構成している。これにより、図１に示す通り印刷用紙収納スペース１２の全体を印刷前後の印刷用紙３、４に任意に配分することができる。
【００１０】
ここで、印刷用紙の長さが長い場合、印刷用紙１３、１４が印刷用紙収納スペース１２内に収納しきれないために、台座部分１１の前後のカバー４、５の何れか一方は閉じることができずに開放、又は取外した状態で使用することになるが、台座部分１１とカバー５との間に拡張スペーサ７を挿入することで、カバー５も閉じることが可能になり、用紙の長さが短い場合と同様の防音効果を得ることができる。
【００１１】
又、例えば用紙の長さが１インチ長くなる時には奥行き２インチの拡張スペーサ７、用紙の長さが２インチ長くなる時には奥行き４インチの拡張スペーサ７、又は奥行き２インチの拡張スペーサ７を２個を使用するなど、用紙の長さに応じた任意の拡張スペーサ７を使用することで、設置スペースを用紙の長さに応じて最小限に押さえることができる。
【００１２】
尚、図２には、拡張スペーサ７を２個使用した場合の例を示したが、上記説明の通り拡張スペーサ２個分の奥行きを有する１個の拡張スペーサを使用しても良く、拡張スペーサの数は問わない。
【００１３】
【発明の効果】
本発明によれば、特に操作部側の台座部分のカバーが開放されることがなくなるため、機械の操作性に影響を及ぼすことなしに印刷用紙の１ページの長さが長い場合であっても防音効果が高く、且つ設置スペースを最小限に押さえたラインプリンタの筐体を提供することが可能である。
【００１４】
又、拡張スペーサのみの追加、又は削除により様々な大きさ（長さ）の印刷用紙に対して対応が可能になるため、防音効果を犠牲にして印刷を行う必要はなくなると共に、機械の設置場所に制限を受けることもなくなる効果がある。
【図面の簡単な説明】
【図１】本発明による筐体の台座部分の構造を示す横断面図。
【図２】本発明による筐体の台座部分で、拡張スペーサを使用した例を示す横断面図。
【図３】従来技術による筐体の構造を示す横断面図。
【図４】従来技術による筐体で、長い用紙を使用した場合の例を示す横断面図。
【図５】本発明による筐体全体を示す斜視図。
【符号の説明】
１は筐体、３は印刷前の印刷用紙、４は印刷後の印刷用紙、５は台座部分の前カバー、６は台座部分の後カバー、７は拡張スペーサ、８は可動式フェンス、１１、２１は台座部分、１２は印刷用紙収納スペース、１３は長さが長い印刷前の印刷用紙、１４は長さが長い印刷後の印刷用紙、２２は印刷前の印刷用紙収納スペース、２３は印刷後の印刷用紙収納スペース、２４は印刷前後の印刷用紙収納スペース仕切り用固定壁面である。
【図１】
2004330684.tif 000003
【図２】
2004330684.tif 000004
【図３】
2004330684.tif 000005
【図４】
2004330684.tif 000006
【図５】
2004330684.tif 000007